(57)【特許請求の範囲】
【請求項１】
本体ケースと、該本体ケースに回動自在に設けられた便座及び便蓋と、給水源に接続された水制御手段と、前記本体ケース内に収容され且つ前記水制御手段に接続された洗浄水を加熱する加熱手段と、非使用時に本体ケース内に収納され使用時に伸長し人体局部に洗浄水を放出する洗浄ノズルとからなる洗浄装置において、前記洗浄ノズルの非使用時には洗浄ノズルの前方側及び下側を閉成せしめ、洗浄ノズル使用時には洗浄ノズルの伸長経路を開成せしめる稼動式の遮蔽板を設け、この遮蔽板が、前記洗浄ノズルの伸長経路前方に設けた前側遮蔽板と、洗浄ノズルの伸長方向下側に設けた下側遮蔽板とからなり、前記下側遮蔽板が、この下側遮蔽板自体の自重により開動作を行なうことを特徴とする人体局部洗浄装置。
【請求項２】
本体ケースと、該本体ケースに回動自在に設けられた便座及び便蓋と、給水源に接続された水制御手段と、前記本体ケース内に収容され且つ前記水制御手段に接続された洗浄水を加熱する加熱手段と、非使用時に本体ケース内に収納され使用時に伸長し人体局部に洗浄水を放出する洗浄ノズルとからなる洗浄装置において、前記洗浄ノズルの非使用時には洗浄ノズルの前方側及び下側を閉成せしめ、洗浄ノズル使用時には洗浄ノズルの伸長経路を開成せしめる稼動式の遮蔽板を設け、この遮蔽板が、前記洗浄ノズルの伸長経路前方に設けた前側遮蔽板と、洗浄ノズルの伸長方向下側に設けた下側遮蔽板とからなり、前記水制御手段が、少なくとも洗浄水の水量を制御する弁体と、該弁体を摺動又は回動可能に収納する弁ケースと、前記弁体を駆動する弁体駆動手段を有し、前記前側遮蔽板及び下側遮蔽板の開閉動作の少なくとも一方を水量制御手段の動作により行なうことを特徴とする人体局部洗浄装置。
【請求項３】
水制御手段が、少なくとも洗浄水の水量を制御する弁体と、該弁体を摺動又は回動可能に収納する弁ケースと、前記弁体を駆動する弁体駆動手段を有し、前側遮蔽板及び下側遮蔽板の開閉動作の少なくとも一方を水量制御手段の動作により行なうことを特徴とする請求項１に記載の人体局部洗浄装置。
【請求項４】
本体ケースと、該本体ケースに回動自在に設けられた便座及び便蓋と、給水源に接続された水制御手段と、前記本体ケース内に収容され且つ前記水制御手段に接続された洗浄水を加熱する加熱手段と、非使用時に本体ケース内に収納され使用時に伸長し人体局部に洗浄水を放出する洗浄ノズルとからなる洗浄装置において、前記洗浄ノズルの非使用時には洗浄ノズルの前方側及び下側を閉成せしめ、洗浄ノズル使用時には洗浄ノズルの伸長経路を開成せしめる稼動式の遮蔽板を設け、この遮蔽板が、前記洗浄ノズルの伸長経路前方に設けた前側遮蔽板と、洗浄ノズルの伸長方向下側に設けた下側遮蔽板とからなり、前記洗浄ノズルが、肛門洗浄ノズル及びビデ洗浄ノズルの少なくとも２本以上であり、前記肛門洗浄ノズル及びビデ洗浄ノズルに選択的に洗浄水を供給する水路切替手段を有し、前記前側遮蔽板及び下側遮蔽板の開閉動作の少なくとも一方を前記水路切替手段の動作により行なうことを特徴とする人体局部洗浄装置。
【請求項５】
洗浄ノズルが、肛門洗浄ノズル及びビデ洗浄ノズルの少なくとも２本以上であり、前記肛門洗浄ノズル及びビデ洗浄ノズルに選択的に洗浄水を供給する水路切替手段を有し、前側遮蔽板及び下側遮蔽板の開閉動作の少なくとも一方を前記水路切替手段の動作により行なうことを特徴とする請求項１に記載の人体局部洗浄装置。
【請求項６】
本体ケースと、該本体ケースに回動自在に設けられた便座及び便蓋と、給水源に接続された水制御手段と、前記本体ケース内に収容され且つ前記水制御手段に接続された洗浄水を加熱する加熱手段と、非使用時に本体ケース内に収納され使用時に伸長し人体局部に洗浄水を放出する洗浄ノズルとからなる洗浄装置において、前記洗浄ノズルの非使用時には洗浄ノズルの前方側及び下側を閉成せしめ、洗浄ノズル使用時には洗浄ノズルの伸長経路を開成せしめる稼動式の遮蔽板を設け、この遮蔽板が、前記洗浄ノズルの伸長経路前方に設けた前側遮蔽板と、洗浄ノズルの伸長方向下側に設けた下側遮蔽板とからなり、前記前側遮蔽板及び下側遮蔽板が、任意の一方の遮蔽板の開閉動作に連動して、他方の開閉動作を行なうように連動手段を設けたことを特徴とする人体局部洗浄装置。
【請求項７】
前側遮蔽板及び下側遮蔽板が、任意の一方の遮蔽板の開閉動作に連動して、他方の開閉動作を行なうように連動手段を設けたことを特徴とする請求項１〜５の何れかに記載の人体局部洗浄装置。
【請求項８】
本体ケースと、該本体ケースに回動自在に設けられた便座及び便蓋と、給水源に接続された水制御手段と、前記本体ケース内に収容され且つ前記水制御手段に接続された洗浄水を加熱する加熱手段と、非使用時に本体ケース内に収納され使用時に伸長し人体局部に洗浄水を放出する洗浄ノズルとからなる洗浄装置において、前記洗浄ノズルの非使用時には洗浄ノズルの前方側及び下側を閉成せしめ、洗浄ノズル使用時には洗浄ノズルの伸長経路を開成せしめる稼動式の遮蔽板を設け、この遮蔽板が、前記洗浄ノズルの伸長経路前方に設けた前側遮蔽板と、洗浄ノズルの伸長方向下側に設けた下側遮蔽板とからなり、前記下側遮蔽板が、外部と連通する開口を有していることを特徴とする人体局部洗浄装置。
【請求項９】
下側遮蔽板が、外部と連通する開口を有していることを特徴とする請求項１〜７の何れかに記載の人体局部洗浄装置。
【発明の詳細な説明】
【０００１】
【発明の属する技術分野】
本発明は、用便後等に人体の局部を洗浄する人体局部洗浄装置に関する。
【０００２】
【従来の技術】
人体局部洗浄装置は、図１に示すような形状をしており、便器２１上に載置して使用される。具体的には、使用者が用便を済ませた後に、洗浄動作の指令を人体局部洗浄装置に与え、洗浄ノズル６にて局部洗浄を行なうものである。
【０００３】
人体局部洗浄装置にて洗浄する場所は、非常にデリケートな部位であるため、洗浄には清潔性が求められ、使用する水が上水であることは勿論、洗浄水を噴出する洗浄ノズル６も清潔性を保つ工夫がなされている。図８に示すように、通常、洗浄ノズル６は、本体ケース１内に収容された洗浄ノズルベース１５上にて伸長する際に、前記洗浄ノズルベース１５に設けられた遮蔽板１４を通過するようになっており、洗浄ノズル６の非使用時には、遮蔽板１４により遮蔽された場所に位置している。前側遮蔽板１４は、前方からの汚物を洗浄ノズルに付着させないために設けられているものであり、洗浄ノズル６を清潔に保つことが可能となる。前述した遮蔽板１４を回動させる方法は、洗浄ノズル６自身が伸長する際に上へ押し上げているもの、電気的な駆動手段を別途設けるもの等がある。
【０００４】
【発明が解決しようとする課題】
しかしながら、図８に示すように前側にのみ遮蔽板１４を設けるものは、下側から飛散する汚物に対し無防備であり、特に男性小用時には、便鉢から反射する下側からの汚物飛散が多いために、洗浄ノズル６の清潔性を保つことが非常に困難となっている。
【０００５】
更に、遮蔽板１４の回動に関しては、洗浄ノズル６にて押し上げる場合、洗浄ノズル６と遮蔽板１４が接触を繰り返すために、洗浄ノズル６の外観を悪化させる原因となり、洗浄ノズル６が水圧を利用して伸長させられている場合等には、充分な水圧が得られないと、洗浄ノズル６を洗浄位置まで移動させることも困難となってしまう。電気的な駆動手段を別途設ける場合は、コストの上昇を招くばかりでなく、装置全体の小型化に逆行するものなので、非常に不利なものとなってしまう。
【０００６】
本発明は、以上のような課題に鑑み、洗浄ノズル６を前方ばかりでなく下方からの汚物飛散からも遮蔽し、該遮蔽する部材を洗浄ノズル６と接触させることなく、別途電気的な制御装置を使用せずに、洗浄ノズル６と連動させて稼働可能な人体局部洗浄装置を提供することを目的とする。
【０００７】
【課題を解決するための手段】
本発明は、以下の構成を有するものである。
（１）本体ケースと、該本体ケースに回動自在に設けられた便座及び便蓋と、給水源に接続された水制御手段と、前記本体ケース内に収容され且つ前記水制御手段に接続された洗浄水を加熱する加熱手段と、非使用時に本体ケース内に収納され使用時に伸長し人体局部に洗浄水を放出する洗浄ノズルとからなる洗浄装置において、前記洗浄ノズルの非使用時には洗浄ノズルの前方側及び下側を閉成せしめ、洗浄ノズル使用時には洗浄ノズルの伸長経路を開成せしめる稼動式の遮蔽板を設け、この遮蔽板が、前記洗浄ノズルの伸長経路前方に設けた前側遮蔽板と、洗浄ノズルの伸長方向下側に設けた下側遮蔽板とからなり、前記下側遮蔽板が、この下側遮蔽板自体の自重により開動作を行なうことを特徴とする人体局部洗浄装置。
（２）本体ケースと、該本体ケースに回動自在に設けられた便座及び便蓋と、給水源に接続された水制御手段と、前記本体ケース内に収容され且つ前記水制御手段に接続された洗浄水を加熱する加熱手段と、非使用時に本体ケース内に収納され使用時に伸長し人体局部に洗浄水を放出する洗浄ノズルとからなる洗浄装置において、前記洗浄ノズルの非使用時には洗浄ノズルの前方側及び下側を閉成せしめ、洗浄ノズル使用時には洗浄ノズルの伸長経路を開成せしめる稼動式の遮蔽板を設け、この遮蔽板が、前記洗浄ノズルの伸長経路前方に設けた前側遮蔽板と、洗浄ノズルの伸長方向下側に設けた下側遮蔽板とからなり、前記水制御手段が、少なくとも洗浄水の水量を制御する弁体と、該弁体を摺動又は回動可能に収納する弁ケースと、前記弁体を駆動する弁体駆動手段を有し、前記前側遮蔽板及び下側遮蔽板の開閉動作の少なくとも一方を水量制御手段の動作により行なうことを特徴とする人体局部洗浄装置。
（３）水制御手段が、少なくとも洗浄水の水量を制御する弁体と、該弁体を摺動又は回動可能に収納する弁ケースと、前記弁体を駆動する弁体駆動手段を有し、前側遮蔽板及び下側遮蔽板の開閉動作の少なくとも一方を水量制御手段の動作により行なうことを特徴とする（１）に記載の人体局部洗浄装置。
（４）本体ケースと、該本体ケースに回動自在に設けられた便座及び便蓋と、給水源に接続された水制御手段と、前記本体ケース内に収容され且つ前記水制御手段に接続された洗浄水を加熱する加熱手段と、非使用時に本体ケース内に収納され使用時に伸長し人体局部に洗浄水を放出する洗浄ノズルとからなる洗浄装置において、前記洗浄ノズルの非使用時には洗浄ノズルの前方側及び下側を閉成せしめ、洗浄ノズル使用時には洗浄ノズルの伸長経路を開成せしめる稼動式の遮蔽板を設け、この遮蔽板が、前記洗浄ノズルの伸長経路前方に設けた前側遮蔽板と、洗浄ノズルの伸長方向下側に設けた下側遮蔽板とからなり、前記洗浄ノズルが、肛門洗浄ノズル及びビデ洗浄ノズルの少なくとも２本以上であり、前記肛門洗浄ノズル及びビデ洗浄ノズルに選択的に洗浄水を供給する水路切替手段を有し、前記前側遮蔽板及び下側遮蔽板の開閉動作の少なくとも一方を前記水路切替手段の動作により行なうことを特徴とする人体局部洗浄装置。
（５）洗浄ノズルが、肛門洗浄ノズル及びビデ洗浄ノズルの少なくとも２本以上であり、前記肛門洗浄ノズル及びビデ洗浄ノズルに選択的に洗浄水を供給する水路切替手段を有し、前側遮蔽板及び下側遮蔽板の開閉動作の少なくとも一方を前記水路切替手段の動作により行なうことを特徴とする（１）に記載の人体局部洗浄装置。
（６）本体ケースと、該本体ケースに回動自在に設けられた便座及び便蓋と、給水源に接続された水制御手段と、前記本体ケース内に収容され且つ前記水制御手段に接続された洗浄水を加熱する加熱手段と、非使用時に本体ケース内に収納され使用時に伸長し人体局部に洗浄水を放出する洗浄ノズルとからなる洗浄装置において、前記洗浄ノズルの非使用時には洗浄ノズルの前方側及び下側を閉成せしめ、洗浄ノズル使用時には洗浄ノズルの伸長経路を開成せしめる稼動式の遮蔽板を設け、この遮蔽板が、前記洗浄ノズルの伸長経路前方に設けた前側遮蔽板と、洗浄ノズルの伸長方向下側に設けた下側遮蔽板とからなり、前記前側遮蔽板及び下側遮蔽板が、任意の一方の遮蔽板の開閉動作に連動して、他方の開閉動作を行なうように連動手段を設けたことを特徴とする人体局部洗浄装置。
（７）前側遮蔽板及び下側遮蔽板が、任意の一方の遮蔽板の開閉動作に連動して、他方の開閉動作を行なうように連動手段を設けたことを特徴とする（１）〜（５）の何れかに記載の人体局部洗浄装置。
（８）本体ケースと、該本体ケースに回動自在に設けられた便座及び便蓋と、給水源に接続された水制御手段と、前記本体ケース内に収容され且つ前記水制御手段に接続された洗浄水を加熱する加熱手段と、非使用時に本体ケース内に収納され使用時に伸長し人体局部に洗浄水を放出する洗浄ノズルとからなる洗浄装置において、前記洗浄ノズルの非使用時には洗浄ノズルの前方側及び下側を閉成せしめ、洗浄ノズル使用時には洗浄ノズルの伸長経路を開成せしめる稼動式の遮蔽板を設け、この遮蔽板が、前記洗浄ノズルの伸長経路前方に設けた前側遮蔽板と、洗浄ノズルの伸長方向下側に設けた下側遮蔽板とからなり、前記下側遮蔽板が、外部と連通する開口を有していることを特徴とする人体局部洗浄装置。
（９）下側遮蔽板が、外部と連通する開口を有していることを特徴とする（１）〜（７）の何れかに記載の人体局部洗浄装置。
【０００８】
【発明の実施の形態】
本発明に用いる遮蔽板は、図２に示すように前側遮蔽板１４及び下側遮蔽板１３からなり、洗浄ノズル６を前方及び下方からの汚物飛散から遮蔽保護している。前記下側遮蔽板１３には、図７（ｂ）に示すように、前側遮蔽板１４及び下側遮蔽板１３を閉じた状態で洗浄ノズル６から洗浄水を噴出させ、洗浄ノズル６自身を洗浄する際に、洗浄ノズル６の洗浄に使用した水を外部に排出するための孔１３ｅを設けることが好ましく、外部からの汚物飛散を遮蔽板内部に侵入させない為に前記孔１３ｅ上部に壁１３ｆを設けると更に好ましい。孔１３ｅを設けない場合には、図７（ａ）に示すように、下側遮蔽板１３の一部に突起１３ｇを設け、前側遮蔽板１４及び下側遮蔽板１３を完全には閉じず、クリアランスを設けるようにしても良い。
【０００９】
前側遮蔽板１４及び下側遮蔽板１３を稼働させるのは、図２に示すアーム１０及びアーム１２であり、図６に示すように、アーム１０をアーム支点１０ａを支点としてカム９により回転させることによって遮蔽板を移動させている。尚、詳細は、実施例にて後述する。
【００１０】
【実施例】
以下本発明の実施例を図面を用いて説明する。図２は、本発明の１実施例を示す機構構成図である。本体ケース１内部には、給水源である上水道管に接続した電磁弁２と、該電磁弁２に連通し洗浄水を加熱する手段である温水ヒータ３を内蔵した温水タンク４と、温水タンク４の出口側に接続し、洗浄水量を可変する水制御手段としての水量制御弁５と、該水量制御弁５に接続され人体局部に洗浄水を噴出する洗浄ノズル６が収納されている。洗浄ノズル６の前側開口部には、前側遮蔽板１４が、下側開口部には下側遮蔽板１３が設けられ、汚物飛散から洗浄ノズル６を遮蔽保護している。洗浄ノズルベース１５を介して本体ケース１内に取り付けられた洗浄ノズル６は、洗浄水の水圧を利用して伸長させるものであっても、モータを使用して電気的に伸長させるものであっても構わないが、本実施例では、電気的に伸長させるものを使用している。
【００１１】
水量制御弁５は、水量制御モータ５ａを回転させることにより、ピニオンギヤ５ｂ、中間ギヤ５ｃを介して弁体５ｄに伝達させ、該弁体５ｄが水量制御弁ケース５ｅ内を回転するようになっている。弁体５ｄ及び水量制御弁ケース５ｅには、夫々その側面に開口５ｄ−１、５ｅ−１が設けられており、弁体５ｄが回転することにより連通面積を変化させ、水量変化を可能としている。
【００１２】
前述した中間ギヤ５ｃは、その一端がカム９に設けたカムギヤ９ａに噛み合い、カム９を回転させる。該カム９には、図６に示すように、アーム支点１０ａにより回転自在に軸支されたアーム１０の円端１０ｂがバネ１１により常に当接しており、水量制御弁５の動きに連動してアーム１０の移動を行なうようになっている。
【００１３】
アーム１０は、一端が前述したようにカム９に当接しており、他端はアーム１２の突起１２ａが嵌合する長孔１０ｃ及び下側遮蔽板１３に設けた長孔１０ｄに接続してある。アーム１２には、回動軸１４ａにより前側遮蔽板１４が回動自在に接続してあり、前記アーム１２がアーム１０により図面上上方に移動すると、洗浄ノズルベース１５に設けた突起１５ｂに前側遮蔽板１４が当接し、前側遮蔽板１４が回動し開口する。一方下側遮蔽板１３にもアーム１０が接続しているため、前側遮蔽板１４が開口するのと同じく下側遮蔽板１３も開口する。
【００１４】
従って、図２に示す人体局部洗浄装置は、使用者が局部洗浄を行なうために水量制御弁５を始動すると同時に、前側遮蔽板１４及び下側遮蔽板１３が開口して洗浄ノズル６を伸長させることが可能となる。
【００１５】
図３は、本発明の別の実施例を示す機構構成図であり、図２にて説明した同一部分には同一符号を付している。本実施例では、前述した図２にて示した実施例とは異なり、アーム１０の一端をアーム１２にのみスライド自在に接続している（他端は図２と同じ）。そして、下側遮蔽板１３は、洗浄ノズルベース１５に設けた孔１５ｄに嵌合する回動軸１３ｂ（図７参照）を支点として回転自在に取り付けてあり、アーム１２の先端に設けた長孔１２ｃに下側遮蔽板１３に設けた突起１３ｃ（図７参照）を嵌め込みしている。
【００１６】
図３に示す人体局部洗浄装置の動作説明をすると、使用者の洗浄操作を検知した制御部１６は、予め設定された水量となるように水量制御弁５を稼働させる。その際、中間ギヤ５ｃは、カム９を回転させることによりアーム１０をアーム支点１０ａを支点として時計回りに回転させ、アーム１２を引き上げる。アーム１２に設けた孔１２ｂに回動自在に接続された前側遮蔽板１４は、アーム１２が引き上げられるために突起１５ｂにより開口する。そして、下側遮蔽板１３は、回転軸１３ｂを支点にやはり時計回りに回転し、開口して、洗浄ノズル６を伸長可能とする。
【００１７】
図４は、本発明の更に別の実施例を示す機構構成図である。本実施例においては、下側遮蔽板１３の一端に設けた突起１３ｄをアーム１２に設けた下側遮蔽板駆動面１２ｄに当接している。下側遮蔽板１３は、洗浄ノズルベース１５に設けた孔１５ｄに嵌合する回動軸１３ｂを支点として回動自在に取り付けてあり、図面上、下側遮蔽板１３は、自重により時計方向に回転、且つ、常に突起１３ｄが下側遮蔽板駆動面１２ｄに接しているように、洗浄ノズル６の伸長方向側が、後退方向側に比較して重くなるように成形してある。
【００１８】
洗浄動作が開始され、アーム１０がアーム１２を引き上げると、下側遮蔽板駆動面１２ｄも引き上げられる。下側遮蔽板１３は、その自重により時計方向に回転するため、徐々に開口することとなる。但し、突起１３ｄが下側遮蔽板駆動面１２ｄに非当接となると、洗浄ノズル６を非洗浄時位置に戻した後、下側遮蔽板１３を戻せなくなるので、アーム１２の移動量を予めカム９の径にて調整を行なう必要がある。
【００１９】
図５は、洗浄ノズルを肛門洗浄ノズル１８及びビデ洗浄ノズル１９の２本使用する場合の機構構成図を示している。前述した肛門洗浄ノズル１８及びビデ洗浄ノズル１９の水量調整は、他の実施例にて説明してきた水量制御弁５にて行ない、開口５ｅ−１から流出する洗浄水を水路切替弁２０に流入させる。水路切替弁２０は、洗浄水を肛門洗浄ノズル１８又はビデ洗浄ノズル１９に振り分けるもので、その仕組みは、水路切替モータ２０ａを駆動させることにより弁体２０ｄを回転させ、開口２０ｄ−１を出口２０ｅ−１又は出口２０ｅ−２に連通させ、流路切替を行なっている。
【００２０】
前側遮蔽板１４及び下側遮蔽板１３の開口は、前述した水路切替弁２０を稼働する水路切替モータ２０ａの回転を伝達する中間ギヤ２０ｃにより回転するカム９により行なわれ、その仕組みは図２にて説明したものと同じになっている。
【００２１】
【発明の効果】
本発明においては、前述してきたように、洗浄ノズルを下側からの汚物飛散から遮蔽保護することが可能であり、遮蔽する為の遮蔽板の稼働も機械的に行なうため、電気的な駆動装置を別に設けることに比べ製品の小型化が可能となった。更に、遮蔽板の稼働指令は、洗浄開始の指令と同じであるために、特別な操作を必要とせず、洗浄ノズルが遮蔽板に当たることもない。そして、下側遮蔽板に孔を設けた場合には、洗浄ノズル自身の洗浄を行なった際の排水も可能となる。
【図面の簡単な説明】
【図１】従来の人体局部洗浄装置を示す斜視図である。
【図２】本発明の実施例を示す人体局部洗浄装置の機構構成図である。
【図３】本発明の他の実施例を示す人体局部洗浄装置の機構構成図である。
【図４】本発明の他の実施例を示す人体局部洗浄装置の機構構成図である。
【図５】本発明の他の実施例を示す人体局部洗浄装置の機構構成図である。
【図６】本発明の実施例を示すアーム部分の拡大図であり、（ａ）は洗浄ノズル収納時を、（ｂ）は洗浄ノズル伸長時を示す。
【図７】本発明の実施例を示す下側遮蔽板の斜視図であり、（ａ）は突起を設けたものを、（ｂ）は孔を設けたものを示す。
【図８】従来の人体局部洗浄装置の洗浄ノズル部分を示す部分拡大図である。
【符号の説明】
１．本体ケース  ２．電磁弁  ３．温水ヒータ  ４．温水タンク  ５．水量制御弁  ６．洗浄ノズル  ７．便座  ８．弁蓋  ９．カム  １０．アーム  １１．バネ  １２．アーム  １３．下側遮蔽板  １４．前側遮蔽板  １５．洗浄ノズルベース  １６．制御部  １７．バネ  １８．肛門洗浄ノズル  １９．ビデ洗浄ノズル  ２０．水路切替弁  ２１．便器  ５ａ．水量制御モータ  ５ｂ．ピニオンギヤ  ５ｃ．中間ギヤ  ５ｄ．弁体  ５ｄ−１．開口  ５ｅ．水量制御弁ケース  ５ｅ−１．開口  ９ａ．カムギヤ  １０ａ．アーム支点  １０ｂ．円端  １０ｃ．長孔  １０ｄ．長孔  １２ａ．突起  １２ｂ．孔  １２ｃ．長孔  １２ｄ．下側遮蔽板駆動面  １３ａ．突起  １３ｂ．回動軸  １３ｃ．突起  １３ｄ．突起１３ｅ．孔  １３ｆ．壁  １３ｇ．突起  １４ａ．回動軸  １５ａ．孔  １５ｂ．突起  １５ｃ．孔  １５ｄ．孔  ２０ａ．水路切替モータ  ２０ｂ．ピニオンギヤ  ２０ｃ．中間ギヤ  ２０ｄ．弁体  ２０ｄ−１．開口  ２０ｅ．水量制御弁ケース  ２０ｅ−１．出口  ２０ｅ−２．出口
【図１】
0003874126.tif 000002
【図２】
0003874126.tif 000003
【図３】
0003874126.tif 000004
【図４】
0003874126.tif 000005
【図５】
0003874126.tif 000006
【図６】
0003874126.tif 000007
【図７】
0003874126.tif 000008
【図８】
0003874126.tif 000009